(57)【特許請求の範囲】
【請求項１】
複数色分の画像データを記憶するデータ記憶部から各露光走査クロックに同期して読み出された各色の画像データで、対応する色の波長を有する各レーザ発生部からのレーザ光を変調し、各変調光を光走査部及びｆθレンズを有する光導部を経て感光材面を走査させることによりカラー画像の露光を行うレーザ露光装置において、
前記複数のレーザ発生部のうちの特定色のレーザ発生部から放射されるレーザ光を１走査毎に検出して同期信号として出力する同期信号生成手段と、
生成された同期信号から各色の画像データの読み出し開始を指示する各色毎の露光開始指示信号を生成する露光開始指示信号生成手段とを備え、
前記露光開始指示信号生成手段は、前記ｆθレンズを通過する際の各レーザ光の色収差に起因する感光材面での露光位置の走査方向におけるずれ量とレーザ光の感光材面上での走査速度とから設定される時間だけ、１の露光開始指示信号に対して残りの露光開始指示信号をそれぞれ相対的に遅延する各遅延手段を含み、
前記遅延手段は、１ドット未満のずれ量が補正されるように前記同期信号を遅延させ、遅延させた同期信号に前記露光走査クロックを同期させ、１ドット単位のずれ量が補正されるように当該露光走査クロックのパルス数をカウントすることで、前記残りの露光開始指示信号を遅延させることを特徴とするレーザ露光装置。
【請求項２】
前記１の露光開始信号に対して残りの露光開始信号の１ドット単位のずれ量を示す第１の入力値と、１ドット未満のずれ量を示す第２の入力値とが入力される外部入力装置を更に備え、
前記遅延手段は、
前記第２の入力値が示すずれ量に対応する時間だけ前記同期信号を遅延させた遅延信号を生成する同期信号遅延回路と、
前記同期信号遅延回路により生成された遅延信号に同期し、前記露光走査クロックの出力開始を指示するリセット信号を生成する露光走査クロックリセット回路と、
前記露光走査クロックを生成し、前記露光走査クロックリセット回路により生成されたリセット信号に従って、前記露光走査クロックの出力を開始する露光走査クロック発生回路と、
前記第１の入力値のずれ量に対応する時間だけ、前記露光走査クロックのパルス数をカウントして、露光走査開始信号を出力するカウンタとを備えることを特徴とする請求項１記載のレーザ露光装置。
【請求項３】
前記レーザ発生部は赤、青、緑のレーザ光をそれぞれ放射する３個のレーザ発生部からなることを特徴とする請求項１又は２記載のレーザ露光装置。
【請求項４】
感光材を収納する感光材ユニットと、請求項１〜３のいずれかに記載のレーザ露光装置と、前記レーザ露光装置により露光された感光材の潜像を顕在化し安定化する現像ユニットと、前記感光材を前記感光材ユニットから前記露光装置を経て前記現像ユニットに導く搬送系とを備えたことを特徴とする写真処理装置。
【発明の詳細な説明】
【０００１】
【発明の属する技術分野】
本発明はレーザ露光装置及び写真処理装置に関するものである。
【０００２】
【従来の技術】
カラー画像の露光を行うレーザ露光装置は、Ｒ、Ｇ、Ｂの各色レーザ光を発生するレーザ発生部を有し、各レーザ発生部から放射されたレーザ光は、レーザ光変調部により画像データに応じて変調され、ハーフミラー等により合波され、ポリゴンミラーにより感光材の幅方向に走査され、ｆθレンズにより光学的行路長が一定化されて感光材面上にカラー画像を形成する。
【０００３】
このようなレーザ露光装置においては、Ｒ、Ｇ、Ｂ各色のレーザ光は、それぞれ波長が異なるためｆθレンズを通過すると色収差が生じ、感光材面上の１走査当たりの露光幅が一致しないという問題があった。この各色レーザ光の露光幅の不一致を防ぐために、従来は、図９に示すようにＲ、Ｇ、Ｂ各色のレーザ光の１画素データの露光タイミングを決定する露光走査クロック信号の周波数をＲ、Ｇ、Ｂ各色に対してそれぞれ適した値(ＲはαＭＨＺ、ＧはβＭＨＺ、ＢはγＭＨＺ)として、各色レーザ光の感光材面上での１走査当たりの露光幅を一致させていた。
【０００４】
【発明が解決しようとする課題】
しかしながら、各色レーザ光の露光走査クロック信号の周波数を適した値とするだけでは、各色レーザ光の露光走査クロック信号は1走査毎に出力され露光開始の基準となる同期パルスに同期しておらず、露光開始位置が一致しない。すなわち、図９に示すように、前回の同期パルス出力時から、例えばＲ色のレーザ光の露光走査クロック信号の１ドット目の画素データに対応するクロックが出力されるまでの時間Ｔ１と、今回の同期パルスの出力時から同クロックが出力されるまでの時間Ｔ２とが一定とならないため、各色のレーザ光による露光開始位置にずれを生じるいう問題があった。
【０００５】
かかる問題を解決するため、従来図１０に示すように同期パルスの出力に対して各色レーザ光の１ドット目に対応するクロックを一律に一定量だけ遅延させることで露光開始位置のずれの発生を防ぐようにしていた。
【０００６】
しかしながら、同期パルスのクロック▲１▼に対して各色のレーザ光の１ドット目に対応するクロックを一律に一致させるだけでは、各色のレーザ光の波長が異なることに起因する光学的な影響が考慮されていないため、露光開始位置を完全に一致させることができなかった。
【０００７】
本発明はこのような問題を解決するためになされたものであり、波長の異なるレーザ光を放射しても、感光材面上で露光開始位置を一致させ得るレーザ露光装置及び写真処理装置を提供することを目的とする。
【０００８】
【発明を解決するための手段】
上記課題を解決するために、請求項１記載の発明は、複数色分の画像データを記憶するデータ記憶部から各露光走査クロックに同期して読み出された各色の画像データで、対応する色の波長を有する各レーザ発生部からのレーザ光を変調し、各変調光を光走査部及びｆθレンズを有する光導部を経て感光材面を走査させることによりカラー画像の露光を行うレーザ露光装置において、前記複数のレーザ発生部のうちの特定色のレーザ発生部から放射されるレーザ光を１走査毎に検出して同期信号として出力する同期信号生成手段と、生成された同期信号から各色の画像データの読み出し開始を指示する各色毎の露光開始指示信号を生成する露光開始指示信号生成手段とを備え、前記露光開始指示信号生成手段は、前記ｆθレンズを通過する際の各レーザ光の色収差に起因する感光材面での露光位置の走査方向におけるずれ量とレーザ光の感光材面上での走査速度とから設定される時間だけ、１の露光開始指示信号に対して残りの露光開始指示信号をそれぞれ相対的に遅延する各遅延手段を含み、前記遅延手段は、１ドット未満のずれ量が補正されるように前記同期信号を遅延させ、遅延させた同期信号に前記露光走査クロックを同期させ、１ドット単位のずれ量が補正されるように当該露光走査クロックのパルス数をカウントすることで、前記残りの露光開始指示信号を遅延させることを特徴とする。
【０００９】
この構成によれば、同期信号生成手段により、複数のレーザ光のうち１のレーザ光を検出して同期信号が生成され、この同期信号を基準として、他のレーザ光は、遅延手段により、ｆθレンズによる色収差に起因する感光材面上での露光開始位置のずれ量とレーザ光の感光材面上での走査速度とから設定される時間だけ露光開始指示信号が遅延して出力されるため、各色のレーザ光の感光材上での露光開始位置のずれの補正される。
【００１０】
また、この構成によれば、露光走査クロック遅延手段により、１のレーザ光の露光走査クロックに対して他のレーザ光の露光走査クロックが、露光開始位置のずれ量に応じて所定クロック分遅延して出力されるため、各レーザ光の露光開始位置のずれ補正が行える。
【００１１】
更に、この構成によれば、遅延手段により、露光走査クロックが所定時間遅延して出力されることで１ドット未満の露光開始位置のずれ量が補正され、露光走査クロック遅延手段により、露光走査クロックが所定クロック分遅延して出力さることで１ドット単位のずれ量が補正されるため、高精度のずれ補正が行える。
【００１２】
また、請求項３記載の発明は、請求項１又は２記載の発明において、前記レーザ発生部は赤、青、緑のレーザ光を発生する３個のレーザ発生部からなることを特徴とする。この構成によれば、レーザ発生部は光の３原色である赤、青、緑をそれぞれ放射する３個からなるため、カラー画像の形成が行える。
【００１３】
また、請求項４記載の発明は、感光材を収納する感光材ユニットと、請求項１〜３のいずれかに記載のレーザ露光装置と、前記レーザ露光装置により露光された感光材の潜像を顕在化し安定化する現像ユニットと、前記感光材を前記感光材ユニットから前記露光装置を経て前期現像ユニットに導く搬送系とを備えたことを特徴とする写真処理装置である。この構成によれば、請求項１又は２記載のレーザ露光装置を備えた写真処理装置を提供することができる。
【００１４】
【発明の実施の形態】
図１は、本発明に係るレーザ露光装置１０が適用される写真処理装置１の一実施形態を示す全体構成図である。写真処理装置１は、図略のスキャナより取り込まれたフィルムの各コマの画像データ、あるいは、図外のコンピュータ等から入力される画像データを、写真印画紙である感光材Ｐ面に走査露光し、感光材Ｐ上に画像を形成するレーザ露光装置１０と、感光材Ｐを送り出し可能にセットする感光材収納装置２０と、レーザ露光装置１０で露光された感光材Ｐを処理(現像処理、漂白定着処理、安定処理)する現像装置３０及び安定処理された感光材Ｐを乾燥させる乾燥装置４０等から構成され、さらに感光材Ｐを搬送する各構成要素間に亘って配設されたローラ対等から構成される搬送装置５０を有する。
【００１５】
感光材収納装置２０はレーザ露光装置１０の上方の所定のマガジン載置部に設けられており、２台の感光材マガジン２１、２２が装備されている。各感光材マガジン２１、２２はロール状に巻回された感光材Ｐを遮光状態で内蔵する。
【００１６】
現像装置３０は、レーザ露光装置１０で露光された感光材Ｐを現像漕３１内に貯留された処理液３２に浸漬することにより現像、漂白定着及び安定化させるものである。乾燥装置４０は現像装置３０で現像、漂白定着及び安定処理された感光材Ｐを乾燥処理するものである。乾燥装置４０の上部には排出されてきた感光材Ｐすなわち写真を積層状態で支持するソータ等の排出部４１が設けられている。
【００１７】
図２はレーザ露光装置１０の構成を示すブロック図である。レーザ露光装置１０は遮光された筐体の適所に内蔵された３原色用の３個のレーザ発生部１０１Ｒ、１０１Ｇ、１０１Ｂを有してなる。レーザ発生部１０１Ｒは例えば波長６８０ｎｍのＲ(赤色)のレーザ光を射出する半導体レーザ(ＬＤ)で構成されている。レーザ発生部１０１Ｇは半導体レーザと、この半導体レーザから射出されたレーザ光を例えば波長４７３ｎｍのＢ(青色)のレーザ光に変換する第２高調波発生器(ＳＨＧ)とで構成されている。
【００１８】
レーザ発生部１０１Ｒ、１０１Ｇ、１０１Ｂの出力側には、レーザ光変調部の一例である音響光学変調素子(Acousto-Optic  Modulator；以下、ＡＯＭという)１０２Ｒ、１０２Ｇ、１０２Ｂと、図略の遮光用の筐体内適所に形成されたスリット１０３Ｒ、１０３Ｇ、１０３Ｂがそれぞれ対応して配設されるとともに、走査光学系を構成するミラー１０４Ｒ、１０４Ｇ、１０４Ｂ、反射ミラー１０５、レンズ１０６、及び図中のＡ方向に回転して入射レーザ光を所定範囲でＳ方向に走査させるポリゴンミラー１０７とが順に配置されている。
【００１９】
ＡＯＭドライバ１６Ｂ、１６Ｇ、１６Ｒは画像データに基づきＡＯＭ１０２Ｒ、１０２Ｇ、１０２Ｂを駆動制御し、レーザ光を変調するものである。ＡＯＭ１０２Ｒ、１０２Ｇ、１０２Ｂはレーザ光の出力をほぼ１００％〜０％の範囲内で調整可能なものである。
【００２０】
ミラー１０４Ｒは全反射ミラー、ミラー１０４Ｇ、１０４Ｂはハーフミラーであって、上記配置はＡＯＭ１０２Ｒから射出されるレーザ光をミラー１０４Ｒで全反射させ、ＡＯＭ１０２Ｇから射出されるレーザ光とミラー１０４Ｇで合波した後、さらにＡＯＭ１０２Ｂから射出されるレーザ光とミラー１０４Ｂで合波することにより、３色のレーザ光を合波する。
【００２１】
ポリゴンミラー１０７の射出側には、ｆθレンズ１０８が配置されている。ポリゴンミラー１０７は矢符Ａ方向に回転しており、この回転により主走査方向(Ｓ方向)に走査されたレーザ光はｆθレンズ１０８を経て、副走査方向(図面の奥行きの方向)に搬送中の感光材Ｐに照射され、この感光材Ｐを露光するようになっている。さらに、ｆθレンズ１０８の射出側であって、画像露光領域の直ぐ上流側にはミラー１０９ａが配設されている。画像露光領域の終了域の直ぐ下流側の位置には、Ｒのレーザ光の反射光を受光する受光素子からなる同期センサ(同期信号生成部)１０９が配設されている。ミラー１０９ａにより反射されたＲのレーザ光は、同期センサ１０９に導かれる。同期センサ１０９はＲ色のレーザ光を受光すると同期パルスをクロック制御部１１に出力する。
【００２２】
外部入力装置１５は、クロック制御部１１に対してＲ色を基準としたＧ、Ｂ色のレーザ光の感光材上でのドットの位置ずれ量に応じた入力値を入力するものである。入力値は、Ｒ色のレーザ光の露光開始位置を基準として、Ｂ、Ｇそれぞれのレーザ光の露光開始位置のずれ量を計測し、計測値を入力値として入力する。計測値は、「１．３」のような１ドットの１／１０単位のずれ量の入力が可能である。この場合、ドット単位のずれ分を第１の入力値ｎ１とし、１ドット未満のずれ分を第２の入力値ｎ２としてそれぞれ入力する。第１、第２の入力値ｎ１、ｎ２が入力された外部入力装置１５は、第１の入力値ｎ１をクロック制御部１１のカウンタ１１４へ、第２の入力値ｎ２をクロック制御部１１の同期信号遅延回路１１１へ出力する。
【００２３】
クロック制御部１１は、画像処理部１２にＲ、Ｇ、Ｂの各露光走査クロックを出力するタイミングの制御を行なうものであり、画素データの感光材上での露光タイミングを決定する露光走査クロックをＲ、Ｇ、Ｂそれぞれについて発生する。また、クロック制御部１１は外部入力装置１５から入力された入力値を受け付けて、露光走査クロックの出力タイミングを制御してＲ、Ｇ、Ｂ各色のレーザ光の感光材上での露光開始位置を一致させる。
【００２４】
画像処理部１２は、プリント予定の画像データを格納し、１主走査分の画像データをＲ、Ｇ、Ｂごとにメモリ部１３に出力するものである。
【００２５】
メモリ部１３は、Ｒ，Ｇ，Ｂの各色毎に用意されたメモリ１３Ｂ、１３Ｇ、１３Ｒを備える。メモリ部１３は、画像処理部１２から出力された各色の少なくとも１主走査分の画像データを一時的に格納し、クロック制御部１１からのＲ、Ｇ、Ｂ各色の露光走査クロックに同期して１主走査分の各画素データをＤ／Ａコンバータ１４Ｂ、１４Ｇ、１４Ｒに出力するものである。この場合、メモリ部１３は、クロック制御部１１からの露光走査開始信号を受けて、１画素のデータの出力を開始する。
【００２６】
Ｄ／Ａコンバータ１４Ｂ、１４Ｇ、１４Ｒは、メモリ部１３Ｂ、１３Ｇ、１３Ｒから出力された各画素データをＤ／Ａ変換し、アナログの画像信号をＡＯＭドライバ１６Ｂ、１６Ｇ、１６Ｒに出力するものである。
【００２７】
図３は、クロック制御部１１の内部構造を示したブロック図である。クロック制御部１１は、同期信号遅延回路１１１、露光走査クロックリセット回路１１２、露光走査クロック発生回路１１３、カウンタ１１４からなる。なお、クロック制御部１１の同期信号遅延回路１１１〜カウンタ１１４は、Ｒ、Ｇ、Ｂ各色のそれぞれに対して設けられている。
【００２８】
同期信号遅延回路１１１は、同期センサ１０９から出力された同期パルスＡを第２の入力値ｎ２により設定されたずれ分に対応する時間だけ遅延させた遅延信号Ｂを生成するものである。
【００２９】
露光走査クロックリセット回路１１２は、同期信号遅延回路１１１からの遅延信号Ｂを受け付けて、１走査毎に露光走査クロック発生回路１１３に対して露光走査クロックの出力開始を指示するリセット信号Ｃを生成するものである。
【００３０】
露光走査クロック発生回路１１３は、感光材上での画素データの露光タイミングを決定する所定周波数のパルス信号(露光走査クロックＤ)を生成するものである。露光走査クロックＤの１クロックが感光材上での１画素に対応する。露光走査クロック発生回路１１３は、生成した露光走査クロックＤをカウンタ１１４及びメモリ部１３へ出力する。
【００３１】
カウンタ１１４は、露光走査クロックＤをカウントアップするものである。カウンタ１１４は、カウンタ値が第１の入力値ｎ１に達すると、メモリ部１３に対して露光開始指示信号(イネーブル信号)の出力を行なう。
【００３２】
図４は、各レーザ光の主走査方向のずれ量を検出するためのテストプリントを簡略化して示した図である。また、図５は、図４のテストプリントのＲ、Ｇ、Ｂ各色のレーザ光の露光開始位置付近を拡大して示した図である。図４に示すように、各レーザ光は、ｆθレンズ１０８を通過する際の色収差により、露光開始位置がずれている。ここでは、Ｇ色レーザ光は、Ｒ色レーザ光に対して露光開始位置が主走査方向上流側に１．３ドットずれており、Ｂ色レーザ光は、Ｒ色レーザ光に対して露光開始位置が主走査方向上流側に２．５ドットずれているとする。
【００３３】
図６は、同期パルスＡ、遅延信号Ｂ、リセット信号Ｃ、露光走査クロックＤ、及び露光開始指示信号Ｅに対して、図４、図５に示す露光開始位置のずれを補正するために、クロック制御部１１が行なう制御を示したタイミングチャートであり、(ａ)はＲ色、(ｂ)はＧ色、(ｃ)はＢ色の各種信号のタイミングチャートを示している。以下の説明では、遅延信号Ｂ〜露光開始指示信号Ｅのそれぞれについて、Ｒ色のレーザ光に対しては、例えば遅延信号ＲＢのように「Ｒ」を付し、Ｇ色のレーザ光に対しては、例えば遅延信号ＧＢのように「Ｇ」を付し、Ｂ色のレーザ光に対しては、例えば遅延信号ＢＢのように「Ｂ」を付して説明する。
【００３４】
図６(ａ)のＲ色のレーザ光のタイミングチャートを図３のブロック図を参照しつつ説明する。同期センサ１０９から出力された同期パルスＡは、同期信号遅延回路１１１に入力される。本実施形態では、Ｒ色のレーザ光を基準としているため、同期パルスＡは、同期信号遅延回路１１１で遅延されずに露光走査クロックリセット回路１１２へ入力され、同期パルスＡの立ち下がりに同期したリセット信号ＲＢが生成される。生成されたリセット信号ＲＢは、露光走査クロック発生回路１１３に出力され、リセット信号ＲＢの立ち下がりに同期した露光走査クロックＲＤが生成される。生成された露光走査クロックＲＤは、メモリ部１３及びカウンタ１１４へ出力される。露光走査クロックＲＤの入力を受けてカウンタ１１４は、露光走査クロックＲＤを１００までカウントアップし露光開始指示信号ＲＥを生成する。生成された露光開始指示信号ＲＥは、メモリ部１３Ｒへ出力される。露光開始指示信号ＲＥを受けてメモリ部１３Ｒは、露光走査クロックＲＤと同期して画素データを出力する。これにより感光材への露光が開始される。
【００３５】
次に、図６(ｂ)のＧ色のタイミングチャートについて図４を参照しつつ説明する。同期センサ１０９からのパルス信号Ａは、同期信号遅延回路１１１に出力され、Ｒ色のレーザ光に対するＧ色レーザ光の１ドット未満のずれ量である０．３ドットのずれを補正するため０．３ドット分遅延した遅延信号ＧＢが生成される。
【００３６】
生成された遅延信号ＧＢは露光走査クロックリセット回路１１２に出力され、遅延信号ＧＢに同期したリセット信号ＧＣが生成される。リセット信号ＧＣは、露光走査クロック発生回路１１３へ出力され、リセット信号ＧＣの立ち下がりに同期した露光走査クロック信号ＧＤが生成される。
【００３７】
露光走査クロック信号ＧＤが入力されたカウンタ１１４は、露光走査クロック信号ＧＤをＲ色のレーザ光に対して１ドット分のずれを補正するため１０１カウントアップして露光開始指示信号ＧＥを生成する。露光開始指示信号ＧＥは、メモリ部１３へ出力される。露光開始指示信号ＧＥを受けてメモリ部１３は露光走査クロックと同期して画素データの出力を開始する。
【００３８】
１ドット単位のずれ補正は１ドット未満のずれ補正がされた露光走査クロック信号ＧＤを、Ｒ色のレーザ光に対するドット単位のずれ量に応じたクロック分遅延して露光開始指示信号ＧＥを出力することにより、Ｇ色レーザ光の露光開始位置はＲ色のレーザ光の露光開始位置と一致する。
【００３９】
このように、１ドット未満のずれ量０．３は、遅延信号ＧＢを遅延させることにより、１ドットのずれ量は、露光走査クロックＧＤのパルスを１パルス分遅延して出力することにより、Ｇ色レーザ光のＲ色レーザ光に対する１．３ドット分のずれが補正される。
【００４０】
図６(ｃ)のＢ色のタイミングチャートについて説明する。Ｂ色レーザ光はＲ色レーザ光に対しての露光開始位置が主走査方向上流側に２．５ドットずれている(図４参照)。このずれ量のうちの０．５ドット分を補正するため、同期信号遅延回路１１１は、Ｒ色のレーザ光の同期パルスＡに対して、０．５ドットに対応する時間分遅延させた遅延信号ＢＢを生成する。
【００４１】
遅延信号ＢＢは、露光走査クロックリセット回路１１２へ出力され、遅延信号ＢＢと同期したリセット信号ＢＣが生成される。リセット信号ＢＣは、露光走査クロック発生回路１１３へ出力され、リセット信号ＢＣの立ち下がりに同期した露光走査クロックＢＤが生成される。
【００４２】
露光走査クロックＢＤは、カウンタ１１４及びメモリ部１３Ｂへ出力される。カウンタ１１４は、２ドットのずれ補正を行なうため、露光走査クロック信号ＢＤを１０２クロックカウントアップすると、露光開始指示信号ＢＥをメモリ部１３Ｂへ出力する。メモリ部１３Ｂは露光開始指示信号ＢＥを受けて１画素データを露光走査クロックＢＤと同期して出力する。
【００４３】
このように、１ドット未満のずれ量０．５は、遅延信号ＢＢを遅延させることにより、２ドットのずれ量は、露光走査クロックＧＤの２クロック分遅延して出力することにより、Ｂ色レーザ光のＲ色レーザ光に対する２．５ドット分のずれが補正される。
【００４４】
以上に示したように、Ｒ色のレーザ光の同期パルスＡを基準として、Ｂ、Ｇの各色のレーザ光の１ドット未満のずれ量の補正は、遅延信号ＧＢ、ＢＢを第２の入力値ｎ２にしたがって遅延させることで行われる。また、１ドット単位のずれ量の補正は、第１の入力値ｎ１にしたがってＧ、Ｂ色のレーザ光の露光走査クロックＧＤ、ＢＤを所定クロックカウントアップした後、露光開始指示信号ＧＥ、ＢＥ出力することで行なわれる。
【００４５】
図７は他の実施形態に係るクロック制御部１１の内部構成を示したブロック図である。このブロック図は、カウンタ１１１ａ、露光走査クロック発生回路１１２ａ、遅延回路１１３ａ、基準クロック発生回路１１４ａからなり、これらは、Ｒ、Ｇ、Ｂ各色に対してそれぞれ用意されている。カウンタ１１１ａは、ドット単位のずれ量の補正を行い、遅延回路１１３ａは１ドット未満のずれ量の補正を行うものである。以下、図７のＧ色レーザ光のブロック図を図８を参照しつつ説明する。Ｇ色レーザ光はＲ色レーザ光に対して露光開始位置が１．３ドット主走査方向上流側へずれているとする(図４参照)。
【００４６】
同期センサ１０９から出力されたＲ色レーザ光の同期パルスＨは、カウンタ１１１ａへ入力され、カウンタ１１１ａは、基準クロック発生回路１１４ａのクロック信号に基づいて、露光開始まで第１の入力値ｎ１までカウントアップする。カウンタ１１１ａは、Ｒ色のレーザ光に対するＧ色のレーザ光のドットのずれ量のうち１ドットの補正を行うため、Ｒ色レーザ光のカウント値より１クロック多くカウントした後、露光走査クロック生成信号ＧＩを生成する。露光走査クロック生成信号ＧＩは、基準クロック発生回路１１４ａのクロック信号に基づいて、露光走査クロック発生回路１１２ａに出力され露光走査クロック生成信号と同期した露光走査クロックＧＪを生成する。露光走査クロックＧＪは、遅延回路１１３ａへ出力さる。Ｇ色レーザ光のＲ色レーザ光に対する０．３ドットのずれ量を補正するため、入力値ｎ２により設定された時間分遅延された、遅延露光走査クロックＧＫが生成される。
【００４７】
遅延露光走査クロック信号ＧＫは、メモリ部１３Ｇへ出力される。メモリ部１３Ｇは、遅延露光走査クロックと同期した１画素のデータを出力し露光を開始する。
【００４８】
このように図７に示した他の実施形態に係る回路構成でも、露光開始位置のずれを補正することができる。なお、Ｂ色のレーザ光についてもＧ色のレーザ光と同様に、Ｒ色のレーザ光の同期パルスＨを基準として遅延露光走査クロックＢＫ及び露光開始指示信号ＢＬを出力することで、露光開始位置のずれを補正することができる。
【００４９】
なお、本発明は以下に示す実施形態を採用ことができる。
【００５０】
本実施形態において、Ｒ色のレーザ光の同期パルスを基準としてＢ、Ｇ各色のレーザ光の露光開始指示信号の出力を遅延して出力させることにより、露光開始位置のずれ補正を行っているが、本発明はこれに限らず、Ｂ色あるいはＧ色のレーザ光の同期パルスを基準として、露光開始位置のずれの補正を行ってもよい。この場合、同期センサ１０９の受光素子を、Ｇ色のレーザ光に反応して同期パルスを生成するもの、あるいは、Ｂ色のレーザ光に反応して同期パルスを生成するものとすればよい。
【００５１】
【発明の効果】
請求項１記載の発明によれば、同期信号生成手段により、複数のレーザ光のうち１のレーザ光を検出して同期信号が生成され、この同期信号を基準として、他のレーザ光は、遅延手段により、ｆθレンズ１０８による色収差に起因する感光材面上での露光開始位置のずれ量とレーザ光の感光材面上での走査速度とから設定される時間だけ露光開始指示信号が遅延して出力されるため、各色のレーザ光の感光材上でのの露光開始位置のずれを補正することができる。
【００５２】
また、請求項１記載の発明によれば、露光走査クロック遅延手段により、１のレーザ光の露光走査クロックに対して他のレーザ光の露光走査クロックが、露光開始位置のずれ量に応じて所定クロック分遅延して出力されるため、各レーザ光の露光開始位置のずれ補正を行うことができる。
【００５３】
また、請求項１記載の発明によれば、遅延手段により、露光走査クロックが所定時間遅延して出力されることで１ドット未満の露光開始位置のずれ量を補正し、露光走査クロック遅延手段により、露光走査クロックが所定クロック分遅延して出力さることで１ドット単位のずれ量の補正するため、高精度のずれ補正を行うことができる。
【００５４】
請求項３記載の発明によれば、レーザ発生部は光の３原色である赤、青、緑をそれぞれ放射する３個からなるため、感光材面上にカラー画像を形成することができる。
【００５５】
請求項４記載の発明によれば、請求項１〜３のいずれかに記載のレーザ露光装置を備えた写真処理装置を提供することができる。
【図面の簡単な説明】
【図１】  本発明に係るレーザ露光装置が適用される写真処理の実施の形態を示す全体構成図である。
【図２】  レーザ露光装置の構成を示すブロック図である。
【図３】  クロック制御部の内部構造を示したブロック図である。
【図４】  レーザ光の主走査方向のずれ量を検出するためのテストプリントを簡略化して示した図である。
【図５】  図４のテストプリントの各色のレーザ光の露光開始位置を拡大して示した図である。
【図６】  クロック制御部１１がＲ、Ｇ、Ｂそれぞれの同期パルスＡ、遅延信号Ｂ、リセット信号Ｃ、露光走査クロック信号Ｄ、及び露光開始指示信号Ｅの制御の様子を示したタイミングチャートであり、(ａ)はＲ色を(ｂ)はＧ色を(ｃ)はＢ色の各種信号のタイミングチャートを示している。
【図７】  他の実施形態に係るクロック制御部の回路構成を示した図である。
【図８】  他の実施形態に係る同期パルスＨ、露光走査クロック生成信号ＧＪ、図である。
【図９】 従来のＲ、Ｇ、Ｂ各色の露光走査クロック信号及び同期パルスの関係を示した図である。
【図１０】  従来のＲ、Ｇ、Ｂ各色の露光走査クロックと同期パルスとの関係を示した図であり、同期信号のエッジに対してにＲ、Ｇ、Ｂ各色の露光走査クロックを主走査１ドット目に対応する画素データのパルスを一律に一致させたものである。
【符号の説明】
１０  レーザ露光装置
１１  クロック制御部
１１１  同期信号遅延回路
１１１ａ  カウンタ
１１２ａ  露光走査クロック発生回路
１１２  露光走査クロックリセット回路
１１２ａ  露光走査クロック発生回路
１１３  露光走査クロック発生回路
１１３ａ  遅延回路
１１４  カウンタ
１１４ａ  基準クロック発生回路
１２  画像処理部
１３  メモリ部
１４  Ｄ／Ａコンバータ
１５  外部入力装置
１０１  レーザ発生部
１０２  ＡＯＭ
１０３  スリット
１０４  ミラー
１０７  ポリゴンミラー
１０８  ｆθレンズ
１０９  同期センサ
１０９a  ミラー
１６  AOMドライバ
２０  感光材収納装置
３０  現像装置
４０  乾燥装置
５０  搬送装置
【図１】
0003775242.tif 000002
【図２】
0003775242.tif 000003
【図３】
0003775242.tif 000004
【図４】
0003775242.tif 000005
【図５】
0003775242.tif 000006
【図６】
0003775242.tif 000007
【図７】
0003775242.tif 000008
【図８】
0003775242.tif 000009
【図９】
0003775242.tif 000010
【図１０】
0003775242.tif 000011